(57)【特許請求の範囲】
【請求項１】
電界を電界伝達媒体に誘起し、当該電界を用いて通信を行うカードと読み書き装置とを備えた電界通信システムであって、
前記カードは、
当該カードを識別するための出力内容を特定する出力情報を記憶するカード記憶部と、
前記電界を用いて前記読み書き装置と情報の送受信を行うカード通信部と、
を備え、
前記読み書き装置は、
前記電界を用いて前記カードと情報の送受信を行い、前記出力情報を受信する通信部と、
前記通信部が前記カードと情報の送受信を行った際には、出力部に前記出力情報で特定される出力内容を出力させる制御部と、
を備え、
前記出力情報は色を一意に示す情報であり、
前記制御部は、前記通信部が前記カードとデータの送受信を行った際に、前記出力部に前記出力情報で一意に特定される色の光を点灯させ、
前記制御部は、前記通信部が同一の色を一意に示す前記出力情報を連続して受信した場合には、前記出力部が点灯する光の濃度を変化させる
ことを特徴とする電界通信システム。
【請求項２】
電界を電界伝達媒体に誘起し、当該電界を用いて通信を行うカードと読み書き装置とを備えた電界通信システムに含まれる読み書き装置であって、
前記電界を用いて前記カードと情報の送受信を行い、当該カードを識別するための出力内容を特定する出力情報を受信する通信部と、
前記通信部が前記カードと情報の送受信を行った際には、出力部に前記出力情報で特定される出力内容を出力させる制御部と、
を備え、
前記出力情報は色を一意に示す情報であり、
前記制御部は、前記通信部が前記カードとデータの送受信を行った際には、前記出力部に前記出力情報で一意に特定される色の光を点灯させ、
前記制御部は、前記通信部が同一の色を一意に示す前記出力情報を連続して受信した場合には、前記出力部が点灯する光の濃度を変化させる
ことを特徴とする読み書き装置。
【請求項３】
請求項１に記載の電界通信システムに含まれるカードであって、
当該カードを識別するための出力内容を特定する出力情報を記憶するカード記憶部と、
前記電界を用いて、前記読み書き装置と情報の送受信を行うカード通信部と、
を備え、
前記出力情報は色を一意に示す情報である
ことを特徴とするカード。
【発明の詳細な説明】
【技術分野】
【０００１】
本発明は、電界通信システム、読み書き装置およびカードに関する。
【背景技術】
【０００２】
ユーザ（電界伝達媒体）の表面に電界を誘起し、この電界を用いて、ユーザが保持するカードと読み書き装置との間で通信を行う電界通信システムが知られている（例えば、特許文献１参照）。
【先行技術文献】
【特許文献】
【０００３】
【特許文献１】特開２００７−１７４５７０号公報
【発明の概要】
【発明が解決しようとする課題】
【０００４】
ユーザが積極的にカードの読み取り動作を行わなくても、電界通信システムではユーザが保持するカードと読み書き装置との間で通信を行うため、ユーザは、カードと読み書き装置との間で通信が行われたか否かを認識することができないという問題があった。
【０００５】
本発明は、上記の事情を考慮してなされたものであり、ユーザが、カードと読み書き装置との間で通信が行われたか否かを認識することができる電界通信システム、読み書き装置およびカードを提供することを目的とする。
【課題を解決するための手段】
【０００６】
本発明は、電界を電界伝達媒体に誘起し、当該電界を用いて通信を行うカードと読み書き装置とを備えた電界通信システムであって、前記カードは、当該カードを識別するための出力内容を特定する出力情報を記憶するカード記憶部と、前記電界を用いて前記読み書き装置と情報の送受信を行うカード通信部と、を備え、前記読み書き装置は、前記電界を用いて前記カードと情報の送受信を行い、前記出力情報を受信する通信部と、前記通信部が前記カードと情報の送受信を行った際には、出力部に前記出力情報で特定される出力内容を出力させる制御部と、を備え、前記出力情報は色を一意に示す情報であり、前記制御部は、前記通信部が前記カードとデータの送受信を行った際に、前記出力部に前記出力情報で一意に特定される色の光を点灯させ、前記制御部は、前記通信部が同一の色を一意に示す前記出力情報を連続して受信した場合には、前記出力部が点灯する光の濃度を変化させることを特徴とする電界通信システムである。
【０００７】
この構成によれば、カード記憶部は、当該カードを識別するための出力内容を特定する出力情報を記憶する。また、カード通信部は、電界を用いて読み書き装置と情報の送受信を行う。また、通信部は、電界を用いてカードと情報の送受信を行い、出力情報を受信する。また、制御部は、通信部がカードと情報の送受信を行った際には、出力部に出力情報で特定される出力内容を出力させる。
【０００８】
これにより、ユーザは、出力部が出力する情報を確認することで、カードと読み書き装置との間で通信が行われたか否かを認識することができる。
【００１０】
この構成によれば、制御部は、通信部がカードと情報の送受信を行った際には、出力部に出力情報で特定される色の光を点灯させる。これにより、ユーザは、出力部が点灯する光を確認することで、カードと読み書き装置との間で通信が行われたか否かを認識することができる。
【００１２】
この構成によれば、制御部は、通信部が同一の色を一意に示す出力情報を連続して受信した場合には、出力部が点灯する光の濃度を変化させる。これにより、読み書き装置が同一の色情報を記憶するカードと連続して通信を行った場合においても、ユーザは、出力部が点灯する光の濃度を確認することで、カードと読み書き装置との間で通信が行われたか否かを認識することができる。
【００１３】
また、本発明は、電界を電界伝達媒体に誘起し、当該電界を用いて通信を行うカードと読み書き装置とを備えた電界通信システムに含まれる読み書き装置であって、前記電界を用いて前記カードと情報の送受信を行い、当該カードを識別するための出力内容を特定する出力情報を受信する通信部と、前記通信部が前記カードと情報の送受信を行った際には、出力部に前記出力情報で特定される出力内容を出力させる制御部と、を備え、前記出力情報は色を一意に示す情報であり、前記制御部は、前記通信部が前記カードとデータの送受信を行った際には、前記出力部に前記出力情報で一意に特定される色の光を点灯させ、前記制御部は、前記通信部が同一の色を一意に示す前記出力情報を連続して受信した場合には、前記出力部が点灯する光の濃度を変化させることを特徴とする読み書き装置である。
【００１６】
また、本発明は、電界を電界伝達媒体に誘起し、当該電界を用いて通信を行うカードと読み書き装置とを備えた電界通信システムに含まれるカードであって、当該カードを識別するための出力内容を特定する出力情報を記憶するカード記憶部と、前記電界を用いて、前記読み書き装置と情報の送受信を行うカード通信部と、を備え、前記出力情報は色を一意に示す情報であることを特徴とするカードである。
【発明の効果】
【００１７】
本発明によれば、ユーザは、カードと読み書き装置との間で通信が行われたか否かを認識することができる。
【図面の簡単な説明】
【００１８】
【図１】本発明の第一の実施形態における電界通信システムをゲートに設置した際の構成を示した構成図である。
【図２】本発明の第一の実施形態における読み書き装置の構成を示した機能ブロック図である。
【図３】本発明の第一の実施形態におけるカードの構成を示した機能ブロック図である。
【図４】本発明の第一の実施形態における読み書き装置の動作手順を示したフローチャートである。
【図５】本発明の第二の実施形態における読み書き装置の動作手順を示したフローチャートである。
【図６】本発明の電界通信システムをドアに設置した際の構成を示した構成図である。
【発明を実施するための形態】
【００１９】
（第一の実施形態）
以下、図面を参照して本発明による電界通信システムの第一の実施形態について説明する。図１は、本実施形態における電界通信システムをゲートに設置した際の構成を示した構成図である。
【００２０】
図示する例では、電界通信システムは、読み書き装置１０とカード２０とを含んでいる。読み書き装置１０はゲート３０に設置されている。また、カード２０は、ユーザ４０（生体、電界伝達媒体）に保持されている。
【００２１】
読み書き装置１０は、制御部１１と、記憶部１２と、アンテナ１３（通信部）と、出力部１４とを備えている。
【００２２】
制御部１１は、読み書き装置１０が備える各部の制御を行う。記憶部１２は、読み書き装置１０が備える各部が動作する際に必要な情報を記憶する。アンテナ１３は、ユーザ４０がアンテナ１３に乗ることでユーザ４０の表面に発生する電界を介して、カード２０とデータの送受信を行う。出力部１４は、例えばＬＥＤ（Ｌｉｇｈｔ  Ｅｍｉｔｔｉｎｇ  Ｄｉｏｄｅ、発光ダイオード）などを備え、複数種類の色を点灯する。
【００２３】
なお、図示するように、電界通信システムをゲート３０に設置した場合、読み書き装置１０は、ユーザ４０の表面に発生する電界を介して、カード２０が記憶する認証情報を読み取り、読み取った認証情報をゲート３０に送信することで、ゲート３０は認証情報に基づいて、ゲートの開閉を制御することができる。
【００２４】
次に、読み書き装置１０の構成について説明する。図２は、本実施形態における読み書き装置１０の構成を示した機能ブロック図である。図示する例では、読み書き装置１０は、制御部１１と、記憶部１２と、アンテナ１３と、出力部１４とを備える。各部の構成および動作は上述したとおりである。
【００２５】
次に、カード２０の構成について説明する。図３は、本実施形態におけるカード２０の構成を示した機能ブロック図である。図示する例では、カード２０は、カード制御部２１と、カード記憶部２２と、カード通信部２３とを備える。
【００２６】
カード制御部２１は、カード２０が備える各部の制御を行う。カード記憶部２２は、カード２０を識別するための出力内容を特定する出力情報や、認証情報などの情報を記憶する。本実施形態では、カード記憶部２２が記憶する出力情報は、特定の色を一意に示す色情報である。この色情報は、色によってカード２０を識別することができるように、カード２０毎に異なる色を示す。カード通信部２３は、ユーザ４０の表面に発生する電界を介して、読み書き装置１０と通信を行う。
【００２７】
次に、読み書き装置１０の動作について説明する。図４は、本実施形態における読み書き装置１０の動作手順を示したフローチャートである。以下の動作手順は、カード２０を保持したユーザ４０がアンテナ１３の上に乗った際の読み書き装置１０の動作手順である。
【００２８】
（ステップＳ１０１）制御部１１は、カード２０と通信（情報の送受信）を開始したか否かを判定する。制御部１１は、カード２０と通信を開始したと判定した場合にはステップＳ１０２の処理に進み、それ以外の場合にはステップＳ１０１の処理を再度実行する。
【００２９】
（ステップＳ１０２）アンテナ１３は、ユーザ４０の表面に発生する電界を介して、カード２０が記憶する色情報を含んだ情報を受信する。その後、ステップＳ１０３の処理に進む。
【００３０】
（ステップＳ１０３）制御部１１は、ステップＳ１０２でアンテナ１３が受信した情報に含まれる色情報を取得する。その後、ステップＳ１０４の処理に進む。
【００３１】
（ステップＳ１０４）制御部１１は、ステップＳ１０３で取得した色情報で指定される色の光を出力部１４に点灯させる。その後、処理を終了する。
【００３２】
上述したとおり、本実施形態によれば、カード２０のカード記憶部２２は、カード２０毎に異なる色を指定する色情報を記憶している。また、読み書き装置１０は、カード２０と通信を行う際に、カード２０から色情報を受信する。そして、読み書き装置１０の出力部１４は、カード２０から受信した色情報で指定される色の光を点灯する。
【００３３】
これにより、読み書き装置１０は、カード２０と通信を行った際に、通信を行ったカード２０に応じた光を出力部１４に点灯させる。よって、ユーザ４０は、カード２０と読み書き装置１０とが通信を行ったのか否かを認識することができる。さらに、ユーザ４０は、出力部１４が点灯する光を確認することで、自身が保持するカード２０と読み書き装置１０とが通信を行ったのか、他のカード２０と読み書き装置１０とが通信を行ったのかを認識することができる。
【００３４】
（第二の実施形態）
次に本発明の第二の実施形態について説明する。本実施形態と第一の実施形態とで異なる点は、読み書き装置１０が同一の色情報を記憶するカード２０と連続して通信を行った場合、出力部１４が点灯する色の濃度を変化させる点である。
【００３５】
本実施形態における電界通信システムの構成は、第一の実施形態の電界通信システムと同様の構成である。また、本実施形態における読み書き装置１０の構成は、第一の実施形態の読み書き装置１０と同様の構成である。また、本実施形態におけるカード２０の構成は、第一の実施形態のカード２０と同様の構成である。
【００３６】
次に、読み書き装置１０の動作について説明する。図５は、本実施形態における読み書き装置１０の動作手順を示したフローチャートである。以下の動作手順は、カード２０を保持したユーザ４０がアンテナ１３の上に乗った際の読み書き装置１０の動作手順である。
【００３７】
（ステップＳ２０１）制御部１１は、カード２０と通信を開始したか否かを判定する。制御部１１は、カード２０と通信を開始したと判定した場合にはステップＳ２０２の処理に進み、それ以外の場合にはステップＳ２０１の処理を再度実行する。
【００３８】
（ステップＳ２０２）アンテナ１３は、ユーザ４０の表面に発生する電界を介して、カード２０が記憶する色情報を含んだ情報を受信する。その後、ステップＳ２０３の処理に進む。
【００３９】
（ステップＳ２０３）制御部１１は、ステップＳ２０２でアンテナ１３が受信した情報に含まれる色情報を取得する。その後、ステップＳ２０４の処理に進む。
【００４０】
（ステップＳ２０４）制御部１１は、記憶部１２が色情報を記憶しているか否かを判定する。制御部１１は、記憶部１２が色情報を記憶していると判定した場合にはステップＳ２０５の処理に進み、それ以外の場合にはステップＳ２１０の処理に進む。
【００４１】
（ステップＳ２０５）制御部１１は、ステップＳ２０３で取得した色情報と、記憶部１２が記憶している色情報とが同一であるか否かを判定する。制御部１１は、ステップＳ２０３で取得した色情報と、記憶部１２が記憶している色情報とが同一であると判定した場合にはステップＳ２０６の処理に進み、それ以外の場合にはステップＳ２０９の処理に進む。
【００４２】
（ステップＳ２０６）制御部１１は、記憶部１２が濃色フラグを記憶しているか否かを判定する。制御部１１は、記憶部１２が濃色フラグを記憶していると判定した場合にはステップＳ２０９の処理に進み、それ以外の場合にはステップＳ２０７の処理に進む。
【００４３】
（ステップＳ２０７）制御部１１は、濃色フラグを記憶部１２に記憶させる。その後、ステップＳ２０８の処理に進む。
【００４４】
（ステップＳ２０８）制御部１１は、ステップＳ２０３で取得した色情報で指定される色の光より濃度が濃い色の光を出力部１４に点灯させる。その後、ステップＳ２１１の処理に進む。例えは、ステップＳ２０３で取得した色情報で指定される色が緑色の場合、制御部１１は、濃い緑色の光を出力部１４に点灯させる。
【００４５】
（ステップＳ２０９）制御部１１は、記憶部１２が記憶する濃色フラグを消去する。その後、ステップＳ２２１０の処理に進む。
【００４６】
（ステップＳ２１０）制御部１１は、ステップＳ２０３で取得した色情報で指定される色の光を出力部１４に点灯させる。その後、ステップＳ２１１の処理に進む。
【００４７】
（ステップＳ２１１）制御部１１は、ステップＳ２０３で取得した色情報を記憶部１２に記憶させる。なお、記憶部１１が既に色情報を記憶している場合は、新たに取得した色情報に書き換える。その後、処理を終了する。
【００４８】
上述したとおり、本実施形態によれば、読み書き装置１０は、同一の色情報を記憶するカード２０と連続して通信を行った場合、出力部１４に通常の濃度の光と濃度の濃い光とを交互に点灯させる。
【００４９】
これにより、読み書き装置１０は、同一の色情報を記憶する複数のカード２０と連続して通信を行う場合においても、新たにカード２０と通信を行った場合には、出力部１４に点灯させる光の色の濃度を変化させる。よって、読み書き装置１０が同一の色情報を記憶する複数のカード２０と連続して通信を行う場合においても、ユーザ４０は、自身が保持するカード２０と読み書き装置１０が通信を行ったのか、他のカード２０と読み書き装置１０とが通信を行ったのかを認識することができる。
【００５０】
なお、第一の実施形態および第二の実施形態では、カード２０のカード記憶部２２が出力情報として色情報を記憶しており、読み書き装置１０がカード２０から色情報を受信し、受信した色情報に基づいた色の光を出力部１４に出力させる例に基づいて説明したが、本発明はこれに限らない。
【００５１】
例えば、カード２０のカード記憶部２２が、当該カード２０を識別するための出力情報として図形情報を記憶しておき、読み書き装置１０は、カード２０から受信した図形情報を出力部１４に出力させるようにしてもよい。
【００５２】
これにより、ユーザ４０は、カード２０と読み書き装置１０とが通信を行ったのか否かを認識することができる。さらに、ユーザ４０は、出力部１４が表示する図形情報を確認することで、自身が保持するカード２０と読み書き装置１０とが通信を行ったのか、他のカード２０と読み書き装置１０とが通信を行ったのかを認識することができる。
【００５３】
また、カード２０のカード記憶部２２が、当該カード２０を識別するための出力情報として音声情報を記憶しておき、読み書き装置１０は、カード２０から受信した音声情報を出力部１４に出力させるようにしてもよい。
【００５４】
これにより、ユーザ４０は、カード２０と読み書き装置１０とが通信を行ったのか否かを認識することができる。さらに、ユーザ４０は、出力部１４が表示する音声情報を確認することで、自身が保持するカード２０と読み書き装置１０とが通信を行ったのか、他のカード２０と読み書き装置１０とが通信を行ったのかを認識することができる。
【００５５】
また、第一の実施形態および第二の実施形態では、読み書き装置１０は、カード２０から出力情報として色情報を受信し、この色情報に基づいた色の光を出力部１４に点灯させているが、これに限らない。例えば、読み書き装置１０は、カード２０から受信した情報に紐付けられた色情報に基づいて、出力部１４に光を点灯させるようにしてもよい。
【００５６】
また、第一の実施形態および第二の実施形態では、読み書き装置１０は出力部１４を備えているが、これに限らず、読み書き装置１０の外部に出力部が存在していてもよい。この場合、読み書き装置１０の制御部１１は、カード２０から受信した出力情報で特定される情報を読み書き装置１０の外部に存在している出力部に出力させる。
【００５７】
また、第一の実施形態および第二の実施形態では、カード２０は生体であるユーザ４０に保持されている例に基づいて説明したが、これに限らず、物体に保持されていてもよい。
【００５８】
また、第一の実施形態および第二の実施形態では、電界通信システムをゲートに設置した例に基づいて説明したが、本発明はこれに限らない。例えば、本発明の電界通信システムをドアに設置してもよい。
【００５９】
図６は、電界通信システムをドアに設置した際の構成を示した構成図である。図示する例では、電界通信システムは、読み書き装置１０とカード２０とを含んでいる。読み書き装置１０は、制御部１１と、記憶部１２と、アンテナ１３と、出力部１４とを備えている。読み書き装置１０が備える各部の動作および構成は図１に示した各部と同様である。なお、読み書き装置１０はドア５０に設置されている。また、カード２０は、ユーザ４０に保持されている。
【００６０】
これにより、ユーザ４０がアンテナ１３に乗ることで、ユーザ４０の表面に発生する電界により、読み書き装置１０とカード２０とは通信を行うことができる。例えば、図示するように、電界通信システムをドア５０に設置した場合、読み書き装置１０は、ユーザ４０の表面に発生する電界を介して、カード２０が記憶する認証情報を読み取り、読み取った認証情報をドア５０に送信することで、ドア５０は認証情報に基づいて、ドア５０の開閉を制御することができる。
【００６１】
また、この場合においても、読み書き装置１０は、カード２０から受信した出力情報を出力部１４に出力させることができる。
【００６２】
また、出力部１４が一度に複数種類の色の光を点灯できるようにしてもよい。これにより、ゲートやドアを複数のユーザ４０が一度に通行した場合においても、出力部１４は、通行した複数のユーザ４０が保持する複数のカード２０に応じた複数種類の色の光を同時に点灯することができる。よって、複数のユーザ４０がゲートやドアを通過した場合においても、同時通過したユーザ４０の人数と出力部１４が点灯する表示色とを比べることにより、カード２０を保持していないユーザ４０が通過したか否かを認識することができる。
【００６３】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００６４】
１０・・・読み書き装置、１１・・・制御部、１２・・・記憶部、１３・・・アンテナ、１４・・・出力部、２０・・・カード、２１・・・カード制御部、２２・・・カード記憶部、２３・・・カード通信部、３０・・・ゲート、４０・・・ユーザ、５０・・・ドア
【図１】
0005393397.tif 000002
【図２】
0005393397.tif 000003
【図３】
0005393397.tif 000004
【図４】
0005393397.tif 000005
【図５】
0005393397.tif 000006
【図６】
0005393397.tif 000007